(57)【要約】【課題】一戸建て住宅などに対する耐震・耐風補強では、金物での補強、耐力壁、筋交いなどによる補強が現在あるが、この程度の補強ではある程度の地震・強風には耐えられるものの、大地震・大台風に対してまで安全性が保障されるものではなかった。そこで、従来の耐震補強よりもはるかに強い耐震・耐風性能を提供する事が、新規住宅の購入者や中古住宅を耐震・耐風補強したい人から待望されていた。【解決手段】あらゆる建物に対して、柱あるいは耐力壁の１階部分の土台（基礎）から１メートル程度の高さにあるジョイント部１から、１０度〜４５度の角度で、杭２を地下深く打ち込み、その杭２の地上露出部分をジョイント部３にて別の補強材４と金具を使用して接合し、別の補強材４と建物の柱あるいは耐力壁と金具を使用してジョイント部１で接合する事によって、建物の耐震・耐風性能を著しく向上させるものである。（図１参照）【選択図】  図１
2006336279.tif 000002
【特許請求の範囲】
【請求項１】
あらゆる建物に対して、基礎の上にある土台の上にある建物の柱あるいは耐力壁の１階部分の土台から０．３〜２．０メートル程度の高さの所１から、１０度〜４５度の角度で、４方向かそれ以上、鉄、アルミニウムなどの金属製あるいは木製もしくは繊維強化プラスチックの杭２を地下深く打ち込み、その杭の地上露出部分３で、別の補強材４と金具を使用して接合し、さらに、補強材４を建物の柱あるいは耐力壁１と金具を使用して接合する建物の耐震・耐風補強方法。
【発明の詳細な説明】
【技術分野】
【０００１】
本発明は、建物の耐震・耐風補強方法に関するものである。
【背景技術】
【０００２】
住宅の耐震・耐風補強では、金物での補強、耐力壁、筋交いなどによる補強が現在あるが、それで完璧といえるわけではない。また、免震住宅というものが発売されているが、巨大地震発生時の安全性までを保障するものではない。また、支持杭を用いることもあるが、地面に対して垂直方向に打たれているために強い揺れに対して十分な力を発揮できない。
【発明の開示】
【発明が解決しようとする課題】
【０００３】
解決しようとする問題点は、従来の補強ではある程度の地震・強風には耐えられるものの、大地震・大台風に対してまで安全性が保障されるものではなく、不安が残るものであった。本発明は、従来の耐震補強よりもはるかに強い耐震・耐風性能を提供するものである。
【課題を解決するための手段】
【０００４】
本発明は、上記目的を達するために、一戸建て住宅、高層ビルなど、あらゆる建物に対して、基礎の上にある土台より上にある建物の柱あるいは耐力壁の１階部分の所、望ましくは土台から１メートル程度の高さの所から、１０度〜４５度の角度で、４方向かそれ以上、鉄、アルミニウムなどの金属製あるいは木製もしくは繊維強化プラスチックの杭を地下深く打ち込む事により、揺れ方向に対して十分な力を発揮させ、また、地下深く打ち込んだ杭の地上露出部分、望ましくは地上５０センチメートルくらいまで出た杭を、別の補強材と接合して建物の柱あるいは耐力壁と接合する事によって、建物の耐震・耐風性能を著しく向上させるものである。
【発明の効果】
【０００５】
本発明のシステムは、建物の耐震・耐風性能を著しく向上させるものである。特に、建物の外側に向かって１０度〜４５度の角度で、４方向かそれ以上、鉄、アルミニウムなどの金属製あるいは木製もしくは繊維強化プラスチックの杭を地下深く打ち込む事により、基礎の下から垂直方向に打たれた杭に比べて、遥かに揺れ方向に対して十分な力を発揮させることができる。また、基礎や土台の下からの杭では、大地震に時に基礎から柱が引き抜かれて建物が倒壊するのを防ぐ事ができないが、本発明のシステムは、基礎の上にある土台より上にある建物の柱あるいは耐力壁の１階部分の所、望ましくは土台から１メートル程度の高さの所から、１０度〜４５度の角度で、杭を地下深く打ち込むので基礎または土台から柱や耐力壁が引き抜かれて建物が倒壊する事が起こりえない。また、地下深く打ち込んだ杭の地上部分で、望ましくは地上５０センチメートルくらいの所で、別の補強材と金具・ボルト等を使用してジョイントする事により、工事を可能にしたものである。
【発明を実施するための最良の形態】
【０００６】
以下、本発明の実施の形態として、実施例を図１に基づいて説明する。
【実施例１】
【０００７】
図１は、一戸建て住宅、高層ビルなど、あらゆる建物に対して、基礎の上にある土台の上にある建物の柱あるいは耐力壁の１階部分の所、望ましくは土台から１メートル程度の高さの所にあるジョイント部１から、１０度〜４５度の角度で、鉄、アルミニウムなどの金属製あるいは木製もしくは繊維強化プラスチックの杭２を地下深く打ち込み、その杭の地上露出部分を、望ましくは地上５０センチメートル位まで出た杭を、ジョイント部３にて別の補強材４と金具・ボルト等を使用して接合し、補強材４と建物の柱あるいは耐力壁と金具・ボルト等を使用してジョイント部１で接合する事によって、建物の耐震・耐風性能を著しく向上させるものである。
【産業上の利用可能性】
【０００８】
一戸建て住宅、アパート、マンション、ビルディング、工場、小屋などの新築及び既存建物の耐震・耐風補強で利用可能である。
【図面の簡単な説明】
【０００９】
【図１】建物の耐震・耐風補強方法の実施方法を示した説明図である。
【符号の説明】
【００１０】
１  土台から１メートル位の高さにある柱あるいは耐力壁のジョイント部
２  鉄、アルミニウムなどの金属製あるいは木製もしくは繊維強化プラスチックの杭
３  地上５０センチメートルくらいまで出た杭２と別の補強材４とのジョイント部
４  別の補強材
【図１】
2006336279.tif 000003
【手続補正書】
【提出日】平成17年6月21日(2005.6.21)
【手続補正１】
【補正対象書類名】特許請求の範囲
【補正対象項目名】全文
【補正方法】変更
【補正の内容】
【特許請求の範囲】
【請求項１】
あらゆる建物に対して、土台（基礎）の上にある建物の柱あるいは耐力壁の１階部分の柱あるいは耐力壁１から、１０度〜４５度の角度で、４方向以上、金属製あるいは木製もしくは繊維強化プラスチックの杭２を地下深く打ち込み、必要に応じて地面を掘ってその杭をコンクリートで補強し、その杭の地上露出部分３で、別の補強材４と金具を使用して接合し、さらに、補強材４を建物の柱あるいは耐力壁１と金具を使用して接合する建物の耐震・耐風補強方法。
【手続補正２】
【補正対象書類名】明細書
【補正対象項目名】全文
【補正方法】変更
【補正の内容】
【発明の詳細な説明】
【技術分野】
【０００１】
本発明は、建物の耐震・耐風補強方法に関するものである。
【背景技術】
【０００２】
住宅の耐震・耐風補強では、金物での補強、耐力壁、筋交いなどによる補強が現在あるが、それで完璧といえるわけではない。また、免震住宅というものが発売されているが、巨大地震発生時の安全性までを保障するものではない。また、支持杭を用いることもあるが、地面に対して垂直方向に打たれているために強い揺れに対して十分な力を発揮できない。
【発明の開示】
【発明が解決しようとする課題】
【０００３】
解決しようとする問題点は、従来の補強ではある程度の地震・強風には耐えられるものの、大地震・大台風に対してまで安全性が保障されるものではなく、不安が残るものであった。本発明は、従来の耐震補強よりもはるかに強い耐震・耐風性能を提供するものである。
【課題を解決するための手段】
【０００４】
本発明は、上記目的を達するために、一戸建て住宅、高層ビルなど、あらゆる建物に対して、土台（基礎）より上にある建物の柱あるいは耐力壁の１階部分の所、望ましくは土台から１メートル程度の高さの所から、１０度〜４５度の角度で、４方向以上、金属製あるいは木製もしくは繊維強化プラスチックの杭を地下深く打ち込み、必要に応じて地面を掘ってその杭をコンクリートで固める事により、揺れ方向に対して十分な力を発揮させ、また、地下深く打ち込んだ杭の地上露出部分で、別の補強材と接合して建物の柱あるいは耐力壁と接合する事によって、建物の耐震・耐風性能を著しく向上させるものである。
【発明の効果】
【０００５】
本発明のシステムは、建物の耐震・耐風性能を著しく向上させるものである。特に、建物の外側に向かって１０度〜４５度の角度で、４方向以上、金属製あるいは木製もしくは繊維強化プラスチックの杭を地下深く打ち込む事により、基礎の下から垂直方向に打たれた杭に比べて、遥かに揺れ方向に対して十分な力を発揮させることができる。また、土台（基礎）の下からの杭では、大地震に時に基礎から柱が引き抜かれて建物が倒壊するのを防ぐ事ができないが、本発明のシステムは、基礎（土台）より上にある建物の柱あるいは耐力壁の１階部分の所、望ましくは土台から１メートル程度の高さの所から、１０度〜４５度の角度で、杭を地下深く打ち込むので基礎または土台から柱や耐力壁が引き抜かれて建物が倒壊する事が起こりえない。また、地下深く打ち込んだ杭の地上部分で、別の補強材と金具・ボルト等を使用してジョイントする事により、工事を可能にしたものである。
【発明を実施するための最良の形態】
【０００６】
以下、本発明の実施の形態として、実施例を図１に基づいて説明する。
【実施例１】
【０００７】
図１は、一戸建て住宅、高層ビルなど、あらゆる建物に対して、土台（基礎）の上にある建物の柱あるいは耐力壁の１階部分の所、望ましくは土台から１メートル程度の高さの所にあるジョイント部１から、１０度〜４５度の角度で、金属製あるいは木製もしくは繊維強化プラスチックの杭２を地下深く打ち込み、その杭の地上露出部分で、ジョイント部３にて別の補強材４と金具・ボルト等を使用して接合し、補強材４と建物の柱あるいは耐力壁と金具・ボルト等を使用してジョイント部１で接合する事によって、建物の耐震・耐風性能を著しく向上させるものである。
【産業上の利用可能性】
【０００８】
一戸建て住宅、アパート、マンション、ビルディング、工場、小屋などの新築及び既存建物の耐震・耐風補強で利用可能である。
【図面の簡単な説明】
【０００９】
【図１】建物の耐震・耐風補強方法の実施方法を示した説明図である。
【符号の説明】
【００１０】
１  土台から１メートル位の高さにある柱あるいは耐力壁のジョイント部
２  金属製あるいは木製もしくは繊維強化プラスチックの杭
３  杭の地上露出部分２と別の補強材４とのジョイント部
４  別の補強材
【手続補正３】
【補正対象書類名】図面
【補正対象項目名】図１
【補正方法】変更
【補正の内容】
【図１】
2006336279.tif 000004